【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
酸素燃焼ボイラユニットであって、
燃料を燃焼させるとともに燃焼で得られる煙道ガスを放出するための炉であって、第１の燃焼ゾーン、第２の燃焼ゾーン及び第３の燃焼ゾーンを有する炉と、
空気を受け入れて空気から酸素ガスを分離するための空気分離ユニットと、
分離された酸素ガスの第１の部分を煙道ガスの第１の流れと混合して１５体積％〜２３体積％の第１の所定の酸素含有量を有する第１の酸化剤流を形成し、かつ分離された酸素ガスの第２の部分を煙道ガスの第２の流れと混合して１５体積％〜２３体積％の第２の所定の酸素含有量を有する第２の酸化剤流を形成し、かつ分離された酸素ガスの第３の部分を燃料の燃焼用の炉の第１、第２及び第３の燃焼ゾーンに導くための１以上の導管であって、第１の酸化剤流を炉の第１の燃焼ゾーンに導き、第２の酸化剤流を炉の第１、第２及び第３の燃焼ゾーンに導く１以上の導管と、
分離された酸素ガスの第３の部分の第１の量を第１の燃焼ゾーンに送り、分離された酸素ガスの第３の部分の第２の量を第２の燃焼ゾーンに送り、かつ分離された酸素ガスの第３の部分の第３の量を第３の燃焼ゾーンに送ることによって、炉の燃焼ゾーンを化学量論的に制御するための制御器であって、第１の量、第２の量及び第３の量が、第１、第２及び第３の燃焼ゾーンでの燃料の燃焼のための所定の酸素の合計量と、第１及び第２の酸化剤流内にあると決定された酸素の量との間の差に基づいて決定される、制御器と
を備える酸素燃焼ボイラユニット。
【請求項２】
制御器が、
各燃焼ゾーンに向かう第１の酸化剤流及び／又は第２の酸化剤流内に含まれる酸素含有量を、各燃焼ゾーン内の燃料を燃焼させるための所定の酸素含有量から差し引くことによって、第１、第２及び第３の燃焼ゾーンの各々に対する酸素要求量を生成し、
酸素要求量に基づいて、酸素の第３の部分の第１の量、第２の量及び第３の量を第１、第２及び第３の燃焼ゾーンに供給するように構成される、請求項１記載のボイラユニット。
【請求項３】
制御器が、
燃焼ゾーンの化学量論的制御によって分離された酸素ガスの第３の部分の分配を制御し、
第１及び第２の酸化剤流が各々、第１及び第２の所定の酸素含有量を確実に有するように、分離された酸素ガスの第１及び第２の部分を制御し、
炉から放出される煙道ガスが第３の所定の酸素含有量を有するように、分離された酸素ガスの第３の部分の第１、第２及び第３の量を決定するように構成される、請求項１記載のボイラユニット。
【請求項４】
第３の所定の含有量が、煙道ガス中の物質の１体積％〜１０体積％である、請求項３記載のボイラユニット。
【請求項５】
第１の酸化剤流の一部分及び第２の酸化剤流の一部分を、これらの流れが炉に送られる前に加熱するための加熱器を備える、請求項１記載のボイラユニット。
【請求項６】
第１の酸化剤流の第２の部分が加熱器をバイパスし、加熱器の下流で第１の酸化剤流の第１の部分と合流するようにさせる導管を備える、請求項５記載のボイラユニット。
【請求項７】
炉が、炉の第１の燃焼ゾーン内に配置された複数の離間したバーナを備え、バーナの各々が、第１の燃焼ゾーンに送られた第１の酸化剤流の各部分を受け取る、請求項１記載のボイラユニット。
【請求項８】
空気分離ユニットによって分離された酸素ガスの量が、第１及び第２の煙道ガス流第２及び第３内の酸素の合計量から、燃料を燃焼させるための酸素の合計量を差し引くことによって決定された量以上になるように、制御器が、空気分離ユニットによって分離される空気の量を制御するように構成される、請求項１記載のボイラユニット。
【請求項９】
炉から放出された煙道ガスを処理し、ＮＯx成分を除去し、次いで煙道ガスを第１の煙道ガス流と第２の煙道ガス流に分けるための手段と、
第１及び第２の酸化剤流の酸素含有量の所定の量を決定するために、制御器にデータを提供するための１以上の測定装置であって、各々が導管に接続されている１以上の測定装置と
を備える、請求項１記載のボイラユニットであって、
１以上の導管が、空気分離ユニットから炉に延在する複数のダクト、及びダクトに接続された複数の弁を含み、制御器が、空気分離ユニットによって分離された酸素ガスの第１、第２及び第３の部分を第１の酸化剤流、第２の酸化剤流及び炉へ分配することを制御するために弁に通信可能に接続される、ボイラユニット。
【請求項１０】
燃料を燃焼させるために、第１の燃焼ゾーン、第２の燃焼ゾーン及び第３の燃焼ゾーンを有する炉に燃料を送り、
空気分離ユニットによって空気から酸素ガスを分離し、
分離された酸素ガスの第１の部分を、炉から放出された第１の煙道ガス流と混合して、１５体積％〜２３体積％の第１の所定の酸素含有量を有する第１の酸化剤流を形成し、
分離された酸素ガスの第２の部分を、炉から放出された第２の煙道ガス流と混合して、１５体積％〜２３体積％の第２の所定の酸素含有量を有する第２の酸化剤流を形成し、
第１の酸化剤流を炉の第１の燃焼ゾーンに導き、
第２の酸化剤流を炉の第１、第２及び第３の燃焼ゾーンに導き、
分離された酸素ガスの第３の部分の第１の量が第１の燃焼ゾーンに送られ、分離された酸素ガスの第３の部分の第２の量が第２の燃焼ゾーンに送られ、かつ分離された酸素ガスの第３の部分の第３の量が第３の燃焼ゾーンに送られるように、分離された酸素ガスの第３の部分を、所定の燃焼ゾーンの化学量論に基づいて、第１、第２及び第３の燃焼ゾーンに分配し、
分離された酸素ガスの第３の部分の第１、第２及び第３の量を、第１、第２及び第３の燃焼ゾーンでの燃料の燃焼のための所定の酸素の合計量と、第１及び第２の酸化剤流内にあると決定された酸素の量との間の差に基づいて決定する
ことを含む酸素燃焼ボイラユニットを運転する方法。
【請求項１１】
分離された酸素ガスの第１の量、第２の量及び第３の量を決定することが、
炉に送られている燃料の量を決定し、
各燃焼ゾーンに向かう第１酸化剤流、及び／又は第２の酸化剤流に含まれる酸素含有量を、各燃焼ゾーン内の燃料を燃焼させるための所定の酸素含有量から差し引くことによって、第１、第２及び第３の燃焼ゾーンの各々に対する酸素の要求量を生成し、
酸素の第３の部分の第１、第２及び第３の量を、酸素の要求量に基づいて、第１、第２及び第３の燃焼ゾーンに供給する
ことを含む、請求項１０記載の方法。
【請求項１２】
燃焼ゾーンの化学量論的制御によって分離された酸素ガスの第３の部分の分配を制御し、
第１及び第２の酸化剤流が各々、第１及び第２の所定の酸素含有量を確実に有するように、分離された酸素ガスの第１及び第２の部分を制御し、
炉から放出される煙道ガスが第３の所定の酸素含有量を有するように、分離された酸素ガスの第３の部分の第１、第２及び第３の量を決定する
ことを含む請求項１０記載の方法。
【請求項１３】
第３の所定の酸素含有量が、煙道ガス中の物質の１体積％〜１０体積％である、請求項１５記載の方法。
【請求項１４】
第１及び第２の酸化剤流の第１の部分が炉に送られる前に、第１の部分を加熱することを含む請求項１２記載の方法。
【請求項１５】
第１の酸化剤流の第２の部分が加熱器をバイパスし、
第１の酸化剤流の第１の部分が加熱された後、第１の酸化剤流の第１及び第２の部分を合流させて単一の流れにする
ことを含む請求項１４記載の方法。
【請求項１６】
空気分離ユニットによって分離される酸素ガスの量が、第１及び第２の煙道ガス流第２及び第３内の酸素の合計量から、燃料を燃焼させるための酸素の合計量を差し引くことによって決定された量以上になるように、空気分離ユニットによって分離される空気の量を制御し、
炉から放出された煙道ガスの酸素含有量、第１の酸化剤流の酸素含有量、及び第２の酸化剤流の酸素含有量を監視する
ことを含む請求項１０記載の方法。